(57)【要約】【課題】人に自然な感じを与えて、心に安らぎを感じさせる間仕切り装置とその間仕切り装置を有する執務室。【解決手段】室内の空間を仕切るための間仕切り装置１が、その間に植物配置空間６を形成するように配置された一対の透明ガラス３，４を備え、植物配置空間６に風の流れを形成する風流形成機構１０が設けられている間仕切り装置１と、その間仕切り装置１により仕切られた休息空間Ｂを有する執務室。【選択図】図４
2009035887.tif 000002
【特許請求の範囲】
【請求項１】
室内の空間を仕切るための間仕切り装置であって、
前記間仕切り装置が、その間に植物配置空間を形成するように配置された一対の透明パネルを備え、前記植物配置空間に風の流れを形成する風流形成機構が設けられている間仕切り装置。
【請求項２】
前記植物配置空間を照明する照明装置とその照明装置を制御する制御手段が設けられている請求項１に記載の間仕切り装置。
【請求項３】
前記透明パネルの少なくとも一部が、前記植物配置空間内へ出入りできるように開閉自在に構成されている請求項１または２に記載の間仕切り装置。
【請求項４】
前記一対の透明パネルのうち、少なくとも一側方に位置する透明パネルにブラインドが設けられている請求項１〜３のいずれか１項に記載の間仕切り装置。
【請求項５】
上記請求項１〜４のいずれか１項に記載の間仕切り装置により仕切られた休息空間を有する執務室。
【請求項６】
前記休息空間に自動販売機が設置されている請求項５に記載の執務室。
【発明の詳細な説明】
【技術分野】
【０００１】
本発明は、室内の空間を仕切るための間仕切り装置とその間仕切り装置を有する執務室に関する。
【背景技術】
【０００２】
間仕切り装置は、各室が独立性を維持するように、室内の空間を複数の室や空間に仕切るためのもので、一般的には、透明なガラスやすりガラスを備えた間仕切り用のパネル、カーテン類、本箱のような家具類などが使用される。
【発明の開示】
【発明が解決しようとする課題】
【０００３】
しかし、上述した従来の間仕切り装置は、主として機能のみを追及しているため、比較的無味乾燥的なものが多く、人に対して自然な感じを与えて心に安らぎを感じさせるような癒し機能に乏しいという欠点があった。
【０００４】
本発明は、このような従来の問題点に着目したもので、その目的は、人に自然な感じを与えて心に安らぎをもたらすような新規な間仕切り装置とその間仕切り装置を有する執務室を提供することにある。
【課題を解決するための手段】
【０００５】
本発明の第１の特徴構成は、室内の空間を仕切るための間仕切り装置であって、前記間仕切り装置が、その間に植物配置空間を形成するように配置された一対の透明パネルを備え、前記植物配置空間に風の流れを形成する風流形成機構が設けられているところにある。
【０００６】
本発明の第１の特徴構成によれば、室内の空間を仕切るための間仕切り装置が、その間に植物配置空間を形成するように配置された一対の透明パネルを備えているので、本来の間仕切り機能に加えて、優れた遮音効果も期待することができる。
そして、一対の透明パネル間に位置する植物配置空間に四季折々の木々や草花などの植物を配置することにより、透明パネルの外側、つまり、間仕切り装置によって仕切られた室や空間から植物を観賞することができ、しかも、その植物配置空間に風の流れを形成する風流形成機構が設けられているので、風流形成機構による風の流れによって木々や草花が自然に揺れるため、人に対して自然に浸っているような安らかな感じを与え、人の心を癒す効果がある。
【０００７】
本発明の第２の特徴構成は、上記第１の特徴構成を備えた間仕切り装置において、前記植物配置空間を照明する照明装置とその照明装置を制御する制御手段が設けられているところにある。
【０００８】
本発明の第２の特徴構成によれば、植物配置空間を照明する照明装置とその照明装置を制御する制御手段が設けられているので、制御手段によって照明装置の照明方向、明るさ、色などを制御することにより、季節や時間などに対応した雰囲気を醸し出すことができ、より一層自然な感じを演出することができる。
特に、コンピュータにより照明装置を自動制御する場合には、時間に応じて刻々と雰囲気を変えることができ、さらに自然な感じを演出することができる。
【０００９】
本発明の第３の特徴構成は、上記第１または第２の特徴構成を備えた間仕切り装置において、前記透明パネルの少なくとも一部が、前記植物配置空間内へ出入りできるように開閉自在に構成されているところにある。
【００１０】
本発明の第３の特徴構成によれば、透明パネルの少なくとも一部が、植物配置空間内へ出入りできるように開閉自在に構成されているので、例えば、季節に応じて植物を入れ替える場合、植物の入れ替えを容易に行うことができ、また、風流形成機構や照明装置の保守点検も容易に行うことができる。
【００１１】
本発明の第４の特徴構成は、上記第１〜第３のいずれかの特徴構成を備えた間仕切り装置において、前記一対の透明パネルのうち、少なくとも一側方に位置する透明パネルにブラインドが設けられているところにある。
【００１２】
本発明の第４の特徴構成によれば、一対の透明パネルのうち、少なくとも一側方に位置する透明パネルにブラインドが設けられているので、そのブラインドによって透明パネルを透過する光の状態を適宜変化させることができる。
そして、このブラインドによる光の変化に対して、風流形成機構による風の状態、照明装置による雰囲気の変化などを組み合わせることにより、より一層自然に近い雰囲気を演出したり、場合によっては、幻想的な雰囲気を演出するなど、室や空間の使用目的などに応じて種々の雰囲気を醸し出すことができる。
【００１３】
本発明の第５の特徴構成は、上記請求項１〜４のいずれか１項に記載の間仕切り装置により仕切られた休息空間を有する執務室にある。
【００１４】
本発明の第５の特徴構成によれば、執務室が、上述した間仕切り装置により仕切られた休息空間を有するので、執務室と休息空間のいずれからでも、自然に揺れる木々や草花を観賞することができ、特に無味乾燥になりがちな執務室から自然に揺れる四季折々の木々や草花を観賞することにより、執務室で事務を執りながら自然に浸ることができる。
【００１５】
本発明の第６の特徴構成は、上記第５の特徴構成を備えた執務室において、前記休息空間に自動販売機が設置されているところにある。
【００１６】
本発明の第６の特徴構成によれば、上述した間仕切り装置により仕切られた休息空間に自動販売機が設置されているので、休憩時間や執務に疲れたときなどに、自動販売機のコーヒーや飲料水などを飲みながら自然に浸って、心の安らぎを得るとともに英気を養うことができる。
【発明を実施するための最良の形態】
【００１７】
本発明による間仕切り装置とその間仕切り装置を有する執務室につき、その実施の形態を図面に基づいて説明する。
本発明の間仕切り装置１は、例えば、図１に示すように、執務室の一角に配置して、執務室内の空間を執務空間Ａと休息空間Ｂに仕切るために使用されるもので、執務空間Ａには、事務机Ａ１などが配置され、休息空間Ｂには、ハイテーブルＢ１や自動販売機Ｂ２などが配置される。
間仕切り装置１は、図２〜図５に示すように、多数の間仕切りユニット２が並設されて構成され、この実施形態では、多数の間仕切りユニット２が平面視でほぼ部分円形に並設されている。もちろん、多数の間仕切りユニット２を平面視で直線状に並設することも、楕円形に並設することも、また、それらの各種の形状を適宜組み合わせて並設することも可能である。
【００１８】
間仕切りユニット２は、透明パネルとしての一対の透明ガラス３，４を備え、執務空間Ａ側の透明ガラス３は、図２、図４、図５などに示すように、木製のガラス枠３ａに組み付けられて上方にのみ配置され、ガラス枠３ａの下方には、簡単なテーブル５ａを有する木製の間仕切り板５が一体化されて配置されている。それに対し、休息空間Ｂ側の透明ガラス４は、図３、図４、図５などに示すように、床から天井にわたってほぼ全面に配置されて木製のガラス枠４ａに組み付けられて開閉自在に構成されている。なお、これらガラス枠３ａ，４ａや間仕切り板５は、特に木製に限るものではなく、樹脂や金属などにより構成することもできる。
そして、執務空間Ａ側の透明ガラス３および間仕切り板５と休息空間Ｂ側の透明ガラス４が、その間に植物配置空間６を形成するように一定の間隔を置いてほぼ平行に対面配置され、それらが連結枠７で互いに一体的に連結されてユニット化されている。
【００１９】
間仕切り装置１は、このような間仕切りユニット２が多数並設されて構成され、その植物配置空間６には、多数のプランタ８が配置されて植物９が植えられている。植物９は、四季折々の各種の木々や草花などであり、造花であっても、生花であってもよい。
そして、植物配置空間６の上方には、図４に示すように、植物配置空間６に風の流れを形成する風流形成機構としての送風機１０と植物配置空間６を照明する照明装置１１が、適当間隔置きに複数個設けられ、送風機１０を制御する送風制御装置１０ａと照明装置１１を制御する制御手段としての照明制御装置１１ａが、休息空間Ｂ側に配置されている。
なお、送風制御装置１０ａと照明制御装置１１ａは、執務空間Ａ側に配置することも、執務空間Ａと休息空間Ｂの両側に配置することも可能であり、さらに、両制御装置１０ａ，１１ａは、手動操作式の制御装置であっても、コンピュータによる自動制御装置であってもよい。
【００２０】
執務空間Ａ側の透明ガラス３の外側には、執務空間Ａ側のガラス枠３ａ、テーブル５ａ、および、間仕切り板５などと同じ色、例えば、茶色や黒などの比較的落ち着いた色のブラインド１２が設けられ、そのブラインド１２の外側には、ロールカーテン１３が設けられている。それに対し、休息空間Ｂ側の透明ガラス４の外側には、休息空間Ｂ側のガラス枠４ａと同じ色、例えば、白や薄いピンクなどの比較的明るい色のブラインド１４が設けられている。
そして、執務空間Ａ側のブラインド１２を制御する制御装置１２ａ、ロールカーテン１３を制御する制御装置１３ａ、休息空間Ｂ側のブラインド１４を制御する制御装置１４ａが、送風制御装置１０ａおよび照明制御装置１１ａと一体化されて休息空間Ｂ側に配置されている。
なお、各制御装置１２ａ，１３ａ，１４ａは、執務空間Ａ側に配置することも、執務空間Ａと休息空間Ｂの両側に配置することも可能であり、さらに、各制御装置１２ａ，１３ａ，１４ａは、手動操作式の制御装置であっても、コンピュータによる自動制御装置であってもよい。
【００２１】
したがって、本発明の間仕切り装置１によれば、執務室内の空間を執務空間Ａと休息空間Ｂに仕切るだけでなく、植物配置空間６に四季折々の木々や草花などの植物を配置することにより、執務空間Ａと休息空間Ｂのいずれからでも植物を観賞することができる。
そして、その植物が送風機１０からの風によって自然に揺れ、照明装置１１によって明るさや色などを適宜変化させながら照射されるので、季節や時間などに対応した雰囲気を醸し出すことができるとともに、透明ガラス３，４に設けられたブラインド１２，１４により透明ガラス３，４を透過する光の状態を変化させることで、幻想的な雰囲気を演出することもできる。
特に、送風機１０、照明装置１１、ブラインド１２，１４などの制御装置１０ａ，１１ａ，１２ａ，１４ａをコンピュータによる自動制御装置にする場合には、時間に応じて刻々と雰囲気を変えることができる。
【００２２】
〔別実施形態〕
（１）先の実施形態では、間仕切り装置１によって、執務室内の空間を執務空間Ａと休息空間Ｂに仕切った例を示したが、どのような空間に仕切るかは任意であり、例えば、執務室内の空間を２つの執務空間に仕切ることもできる。
また、多数の間仕切りユニット２を並設して間仕切り装置１を構成した例を示したが、間仕切りユニット２を使用せずに間仕切り装置１を構成することもできる。つまり、透明パネルとしての透明ガラス３，４の多数組、または、少なくとも１組を建物の壁、天井、床などに直接保持させることも可能であり、その場合には、間仕切りユニット２を使用せずに間仕切り装置１を構成することになる。
【００２３】
（２）先の実施形態では、透明パネルの一例として透明ガラス３，４を示したが、透明ガラス３，４以外にも、例えば、透明なアクリル板などを使用して透明パネルを構成することができ、さらに、その形状についても、先の実施形態で示した平板状のパネルに限るものではなく、断面が円弧状やＳ字状などのような変形した形状のパネルを使用することができる。
また、執務空間Ａ側の透明ガラス３については上方にのみ配置し、休息空間Ｂ側の透明ガラス４については上下方向のほぼ全面にわたって配置した例を示したが、両ガラス３，４ともほぼ全面にわたって配置したり、両ガラス３，４とも上方にのみに配置するなど、両ガラス３，４の配置の形態については、室内の雰囲気などに応じて適宜選択することができ、さらに、両ガラス３，４の少なくとも一部を開閉自在にして、植物配置空間６内へ出入りできるように構成することもできる。
【００２４】
（３）先の実施形態では、執務空間Ａ側と休息空間Ｂ側の透明ガラス３，４の外側にそれぞれブラインド１２，１４を設けた例を示したが、透明ガラス３，４の内側、つまり、植物配置空間６側にブラインド１２，１４を設けることもできる。また、両ブラインド１２，１４は必ずしも異なる色にする必要はなく、両ブラインド１２，１４を同じ色にすることもでき、さらに、執務空間Ａ側の透明ガラス３と休息空間Ｂ側の透明ガラス４のうち、いずれか一側方の透明ガラスにのみブラインドを設けて実施することもできる。
また、風流形成機構１０の一例として送風機を示したが、植物配置空間６内の空気を吸引して風の流れを形成する吸気装置を設けたり、吸気装置と送風機を併設して風流形成機構とすることもできる。
【図面の簡単な説明】
【００２５】
【図１】間仕切り装置を有する執務室の平面図
【図２】間仕切り装置を執務空間側から見た斜視図
【図３】間仕切り装置を休息空間側から見た斜視図
【図４】間仕切り装置の縦断側面図
【図５】間仕切りユニットの斜視図
【符号の説明】
【００２６】
１          間仕切り装置
３，４      透明パネル（透明ガラス）
６          植物配置空間
９          植物
１０        風流形成機構
１１        照明装置
１１ａ      照明装置の制御手段
１２，１４  ブラインド
Ａ          執務空間
Ｂ          休息空間
Ｂ２        自動販売機
【図１】
2009035887.tif 000003
【図２】
2009035887.tif 000004
【図３】
2009035887.tif 000005
【図４】
2009035887.tif 000006
【図５】
2009035887.tif 000007